(57)【要約】  軸方向に可動に支承されているスライドリング（１）と、カウンタリング（３）とを備えており、スライドリング（１）及びカウンタリング（３）はそれぞれ相互に接しているシール面（１ａ，３ａ）を有しており、スライドリング（１）のシール面（１ａ）は、カウンタリング（３）のシール面（３ａ）に対向しており、スライドリング（１）は、蛇腹状のばね手段（４）によってカウンタリング（３）に押し付けられている形式のスライドリングシールは、スライドリングシールが廉価に且つ問題なく製造された後に、非常にフレキシブルなスライドリング及び／又はカウンタリングを有しているように、冒頭で述べたようなスライドリングシールを形成及び発展させるという課題に関して、少なくとも一つのシール面（１ａ，３ａ）が、０．１μｍからＷｍｍまでの大きさの隆起部又は非平坦部を有しており、但し、Ｗは式Ｗ＝０．０３Ｄｍ／ｓから計算され、平均直径Ｄｍは、円環状のシール面（１ａ，３ａ）の外径（Ｄａ）及び内径（Ｄｉ）の平均値であり、ｓはスライドリング（１）又はカウンタリング（３）の厚さを表している、という特徴を有している。
2016516958.tif 000002
【特許請求の範囲】
【請求項１】
軸方向に可動に支承されているスライドリング（１）と、カウンタリング（３）とを備えているスライドリングシールであって、
前記スライドリング（１）及び前記カウンタリング（３）はそれぞれ相互に接しているシール面（１ａ，３ａ）を有しており、
前記スライドリング（１）のシール面（１ａ）は、前記カウンタリング（３）のシール面（３ａ）に対向しており、
前記スライドリング（１）は、蛇腹状のばね手段（４）によって前記カウンタリング（３）に押し付けられている、スライドリングシールにおいて、
少なくとも一つのシール面（１ａ，３ａ）は、０．１μｍからＷｍｍまでの大きさの隆起部又は非平坦部を有しており、但し、Ｗは式
Ｗ＝０．０３Ｄｍ／ｓ
から計算され、平均直径Ｄｍは、円環状の前記シール面（１ａ，３ａ）の外径（Ｄａ）と内径（Ｄｉ）の平均値であり、ｓは前記スライドリング（１）又は前記カウンタリング（３）の厚さを表していることを特徴とする、スライドリングシール。
【請求項２】
少なくとも一つのシール面（１ａ，３ａ）は、１μｍからＷまでの間の大きさの、有利には５μｍからＷｍｍまでの間の大きさの、特に有利には２０μｍからＷまでの間の大きさの、極めて有利には５０μｍからＷｍｍまでの間の大きさの隆起部又は非平坦部を有している、請求項１に記載のスライドリングシール。
【請求項３】
前記隆起部又は非平坦部は、波状凹部及び波状凸部として形成されている、請求項１又は２に記載のスライドリングシール。
【請求項４】
一つのシール面（１ａ，３ａ）における前記隆起部又は非平坦部は、少なくとも二つの最上点及び少なくとも二つの最下点、有利には三つの最上点及び三つの最下点、特に有利には四つの最上点及び四つの最下点を有している、請求項１乃至３のいずれか一項に記載のスライドリングシール。
【請求項５】
少なくとも一つのシール面（１ａ，３ａ）における前記隆起部又は非平坦部は、スライドリングシールの動作時に機能が損なわれることがないように、前記蛇腹状のばね手段（４）によって少なくとも部分的に変形可能である、請求項１乃至４のいずれか一項に記載のスライドリングシール。
【請求項６】
前記蛇腹状のばね手段（４）は、リング状の当接領域（８）で、前記スライドリング（１）に接触しており、且つ、リング状の接続領域（９）で、ケーシング（１０）に取り付けられており、前記当接領域（８）及び前記接続領域（９）は、少なくとも一つの弾性的に変形可能なヒンジ領域（１１）によって相互に接続されている、請求項１乃至５のいずれか一項に記載のスライドリングシール。
【請求項７】
前記カウンタリング（３）は、支持体（５）に収容されており、該支持体（５）は、軸（７）に押し付けるための軸方向の延長部（６）を有している、請求項１乃至６のいずれか一項に記載のスライドリングシール。
【請求項８】
前記延長部（６）の内部空間が軸（７）を収容するために円錐形に延在するように、前記延長部（６）の領域（６ａ）の横断面は円錐台状に形成されている、請求項７に記載のスライドリングシール。
【請求項９】
前記ばね手段（４）に対向している前記スライドリング（１）における第１の円環面（１２）と、前記スライドリング（１）における前記ばね手段（４）の当接領域（８）とケーシング（１０）における前記ばね手段（４）の接続領域（９）との間に延在する、突出した第２の円環面（１３）との比は、前記スライドリング（１）の方向に軸方向において、前記突出した第２の円環面（１３）に作用する第２の力が、前記カウンタリング（３）の方向に軸方向において前記第１の円環面（１２）に作用する第１の力の１％から１００，０００％の間、有利には１０％から１，０００％の間、特に有利には１０％から１００％の間となるように選定されている、請求項１乃至８のいずれか一項に記載のスライドリングシール。
【請求項１０】
前記ばね手段（４ａ）は、前記スライドリング（１）に接触し、且つ、前記支持体（５’）と同じ大きさの内径又はそれよりも大きい内径を有している半径方向リップ（１４ａ）を備えている、請求項７乃至９のいずれか一項に記載のスライドリングシール。
【請求項１１】
前記ばね手段（４ｃ）は、前記スライドリング（１）から離れる方向に角度を成して突出し、且つ、前記支持体（５’）と同じ大きさの内径又はそれよりも大きい内径を有している半径方向リップ（１４ｃ）を備えている、請求項７乃至９のいずれか一項に記載のスライドリングシール。
【請求項１２】
前記ばね手段（４）は、該ばね手段（４）の当接領域（８）に接触し、且つ、前記支持体（５’）と同じ大きさの内径又はそれよりも大きい内径を有しているダストリップ（１５ａ）を備えている、請求項７乃至９のいずれか一項に記載のスライドリングシール。
【請求項１３】
前記ばね手段（４）は、該ばね手段（４）の接続領域（９）に当接し、且つ、前記支持体（５’）と同じ大きさの内径又はそれよりも大きい内径を有しているダストリップ（１５ｃ）を備えている、請求項７乃至９のいずれか一項に記載のスライドリングシール。
【請求項１４】
前記ばね手段（４）は、壁（１６）によって少なくとも部分的に、軸方向及び／又は半径方向において包囲されている、請求項１乃至１３のいずれか一項に記載のスライドリングシール。
【請求項１５】
前記壁（１６ａ）は、前記カウンタリング（３）を収容している支持体（５”）の一部である、請求項１４に記載のスライドリングシール。
【請求項１６】
前記延長部（６”’）と前記カウンタリング（３）との間に間隙（１７）が形成されている、請求項７乃至１５のいずれか一項に記載のスライドリングシール。
【請求項１７】
前記延長部（６）が前記スライドリング（１）の下にも延びるように、前記延長部（６）は軸方向に長く延在している、請求項７乃至１６のいずれか一項に記載のスライドリングシール。
【請求項１８】
前記スライドリングシールは気体潤滑式である、請求項１乃至１７のいずれか一項に記載のスライドリングシール。
【請求項１９】
前記スライドリング（１）のシール面（１ａ）及び／又は前記カウンタリング（３）のシール面（３ａ）は流体力学的な構造を有している、請求項１乃至１８のいずれか一項に記載のスライドリングシール。
【請求項２０】
内燃機関のクランクシャフトのシールとしての、請求項１乃至１９のいずれか一項に記載のスライドリングシールの使用。
【発明の詳細な説明】
【技術分野】
【０００１】
本発明は、請求項１の上位概念に記載されているスライドリングシールに関する。
【背景技術】
【０００２】
独国公開特許第１０２０１１１１４３４９号からは、既に、蛇腹状のばね手段を備えているスライドリングシールが公知である。上記のスライドリングシールにおいては、カウンタリングが支持リング内に収容されており、支持リングもまた一つの軸に対応付けられている。支持リングは、軸の回転時にカウンタリングも一緒に回転させるために、軸に固定的に接続されている。
【０００３】
この背景のもとで、問題なく振動を補償するために、非常にフレキシブルであるスライドリング又はカウンタリングを備えているスライドリングシールが必要とされている。
【発明の概要】
【発明が解決しようとする課題】
【０００４】
従って本発明の課題は、スライドリングシールが廉価に且つ問題なく製造された後に、非常にフレキシブルなスライドリング及び／又はカウンタリングを有しているように、冒頭で述べたようなスライドリングシールを形成及び発展させることである。
【課題を解決するための手段】
【０００５】
上記の課題は、本発明によれば請求項１の特徴的構成によって解決される。
【０００６】
本発明によれば、少なくとも一つのシール面が、０．１μｍからＷまでの大きさの隆起部又は非平坦部を有している。但し、Ｗは式
Ｗ＝０．０３Ｄｍ／ｓ
から計算され、平均直径Ｄｍは、円環状のシール面の外径及び内径の平均値であり、ｓはスライドリング又はカウンタリングの厚さを表している。本発明によれば、先ず、非常にフレキシブルなシール面を有しているスライドリングシールにおいて、製造に起因する非平坦部を比較的問題なく補償できるということが分かった。具体的には、スライドリング及び／又はカウンタリングにおける製造に起因する非平坦部が蛇腹状のばね手段によって補償できることが分かった。蛇腹状のばね手段のばね力のみで、非平坦性を補償することができる。従って、カウンタリング及びスライドリングのシール面における煩雑な事後的な調整及び加工は必要ない。従来技術からは、シール面が最大でも数μｍである非平坦部を有するようにスライドリングシールを作製することが公知である。本発明によれば、フレキシブルなシール面によって、比較的大きい非平坦部を許容することができるので、製造ステップを低減することができる。本明細書において、隆起部、非平坦部又は平坦部は、ＤＩＮ  ＩＳＯ  １１０１に準拠して測定される。
【０００７】
上述の係数０．０３は、より高い値を取ることもでき、当業者であれば、そのようなより高い値を本明細書の記述に基づき適切に発見することができる。
【０００８】
この背景のもとで、少なくとも一つのシール面は、１μｍからＷまでの間の大きさの、有利には５μｍからＷまでの間の大きさの、特に有利には２０μｍからＷまでの間の大きさの、極めて有利には５０μｍからＷまでの間の大きさの隆起部又は非平坦部を有していても良い。ここで隆起部又は非平坦部は、表面粗さ又はガス溝を含んでいない。最後に、隆起部又は非平坦部は、シール面に沿って回転する間に生じる波状凸部及び波状凹部である。その限りにおいて、表面粗さ又はガス溝は、スライドリング及び／又はカウンタリングの非平坦部又は起伏に影響を及ぼす構造ではない。
【０００９】
隆起部又は非平坦部は、波状凹部及び波状凸部として形成されていても良い。隆起部又は非平坦部は、シール面に沿って回転する間に生じる波状凸部及び波状凹部である。従って、有利には、波状のスライドリング及びカウンタリングを使用することもできる。
【００１０】
一つのシール面における隆起部又は非平坦部は、少なくとも二つの最上点及び少なくとも二つの最下点、有利には三つの最上点及び三つの最下点、特に有利には四つの最上点及び四つの最下点を有している。最後に、隆起部又は非平坦部は、シール面に沿って回転する間に生じる波状凸部及び波状凹部である。起伏に応じて、種々多数の波状凸部及び波状凹部を生じさせることができる。それらの起伏を実質的に平坦にすることができる。
【００１１】
少なくとも一つのシール面における隆起部又は非平坦部は、蛇腹状のばね手段によって、スライドリングシールの動作時に機能が損なわれることがないように、少なくとも部分的に変形可能である。蛇腹状のばね手段は、シール面の起伏を実質的に平坦にする力をシール面に加えることができる。完全に平坦にすることも可能である。
【００１２】
蛇腹状のばね手段は、リング状の当接領域を用いて、スライドリングに接触させても良く、且つ、リング状の接続領域を用いて、ケーシングに取り付けても良い。当接領域及び接続領域は、少なくとも一つの弾性的に変形可能なヒンジ領域によって相互に接続されている。この具体的に構成によって、ばね手段に幾何学的な形状が付与され、その幾何学的な形状によって、ばね手段を半径方向、ねじれ方向及び軸方向において容易に変位及び変形させることができる。それにもかかわらず、ヒンジ領域及びエラストマーの合成の適切な選択によって、十分な押付力をスライドリングに加えることができる。この背景のもとで、ヒンジ領域の横断面をＳ字状に形成しても良い。その種のヒンジ領域は、特に容易に且つ問題なく、半径方向、ねじれ方向及び軸方向において変位可能である。蛇腹状のばね手段は、有利には、ポリマー、特にエラストマーから作製されている。特に有利には、エラストマーは天然ゴムであるか、又は天然ゴムを有している。
【００１３】
カウンタリングを支持体に収容しても良く、この支持体は、軸に押し付けるための軸方向の延長部を有している。これによって、支持体と軸との間のプレス嵌めを実現することができる。
【００１４】
延長部の内部空間が軸を収容するために円錐形に延在するように、延長部の領域の横断面は円錐台状に形成されていても良い。延長部の内部空間は、実質的に、中空円筒であり、この中空円筒に円錐台状の区間が接続されている。内部空間の円錐形の経過によって、支持体の軸への挿入が容易になる。円錐形の構造によって、直径が僅かに変動する軸を収容することができる。円錐形の経過を形成することによって、一つの領域が軸に載置されないことが保証されている。これによって、プレス嵌めによって誘導される変形は、カウンタリングの整列に悪影響が及ぼされない程度にしか支持体に伝わらない。従って、組み立て時には、カウンタリングの比較的僅かな位置誤差しか生じないので、スライドリングシールは非常に頑丈になる。円錐形の経過によって分離作用がもたらされるので、金属薄板における高いオーバーラップ及び可塑性の変形が許容される。付加的なシール手段を要することなくシールシートが提供されているように、支持体を軸に載置することができる。シールシートは、金属製のシールであって良い。可塑性の変形は、漏れ通路を確実に閉鎖することができる。
【００１５】
ばね手段に対向しているスライドリングにおける第１の円環面と、スライドリングにおけるばね手段の当接領域とケーシングにおけるばね手段の接続領域との間に延在する、突出した第２の円環面との比は、（空間２０（図４を参照されたい）における）圧力変化によって、スライドリングの方向に軸方向において、突出した第２の円環面に作用する第２の力が、（空間２０（図４を参照されたい）における）圧力変化によって、カウンタリングの方向に軸方向において第１の円環面に作用する第１の力の１％から１００，０００％の間、有利には１０％から１，０００％の間、特に有利には１０％から１００％の間となるように選定しても良い。これによって、比較的高い圧力差、また特に、変動する圧力状態が、確実なシールを損ねる可能性はほぼなくなる。
【００１６】
更には、この配置構成によって、非常に小さい構造空間の設計では、圧力の安定性を達成することができる。圧力負荷が変化しない場合であっても、小さい構造空間を利用することができる。
【００１７】
上記の区間内で挙げたパーセント値は、用途固有に、シールすべき圧力差に応じて適切に選択されるべきである。従って、約０のｋ係数を有しているスライドリングシールを簡単に実現することができる。通常の場合、スライドリングシールは、圧力に対する確実なシールを提供するために、０．６から０．８の範囲のｋ係数を有していなければならない。
【００１８】
ｋ係数は、いわゆる流体負荷係数である。しかしながら、公知のスライドリングシールは、圧力条件が変化する場合には限定的にしか使用することができない。非常に小さいｋ係数を有しているスライドリングシールは、変化する圧力条件にも耐えることができ、また、そのような変化する圧力に対する確実なシールを提供することができる。上限値として、更に高いパーセンテージ値も考えられ、そのような値は当業者であれば、本明細書に基づき適切に発見することができる。
【００１９】
ばね手段は、スライドリングに接触し、且つ、支持体と同じ大きさの内径、又はそれよりも大きい内径を有している半径方向リップを有することもできる。有利には、半径方向リップは、ばね手段と同一の材料でもって、ばね手段とワンピースに形成されている。これによって、埃がシール面の領域に到達することを阻止することができる。
【００２０】
この背景のもとで、ばね手段は、スライドリングに接触し、且つ、支持体と同じ大きさの内径を有している半径方向リップを有していても良い。この具体的な構成によって、半径方向リップが帯状に軸の外周面に接触し、且つ、シール面に粒子がほぼ到達しないことが保証されている。
【００２１】
ばね手段は、スライドリングから離れる方向に角度を成して突出し、且つ、支持体と同じ大きさの内径、又はそれよりも大きい内径を有している半径方向リップを有していても良い。そのような角度を成すことによって、半径方向リップを、容易に変形させることができ、また、問題なく軸の外周面に押し付けることができる。
【００２２】
この背景のもとで、ばね手段は、スライドリングから離れる方向に角度を成して突出し、且つ、支持体と同じ大きさの内径を有している半径方向リップを有していても良い。そのような半径方向リップは、帯状に軸の外周面に接触しているので、その結果、粒子がその半径方向リップを通過することはほぼ不可能となる。
【００２３】
ばね手段は、ばね手段の当接領域に接触し、且つ、支持体と同じ大きさの内径、又はそれよりも大きい内径を有しているダストリップを有していても良い。ダストリップは、ばね手段と同一の材料では形成されていない。ダストリップを、例えば、不織布材料から作製することができる。具体的には、薄い不織布を提供することが考えられる。ダストリップによって、粉塵がシール面の領域に到達することを阻止することができる。
【００２４】
この背景のもとで、ばね手段は、ばね手段の当接領域に接触し、且つ、支持体と同じ大きさの内径を有しているダストリップを有していても良い。この具体的な構成によって、ダストリップが帯状に軸の外周面に接触することが保証されている。この具体的な構成によって、粉塵がダストリップを通過することはほぼ不可能となる。
【００２５】
ばね手段は、ばね手段の接続領域に当接し、且つ、支持体と同じ大きさの内径、又はそれよりも大きい内径を有しているダストリップを有していても良い。ダストリップが接続領域に接続されることによって、ダストリップを容易にフレキシブルに変形させることができ、その際に、ダストリップがばね手段に衝突して、ばね手段を破壊することはない。
【００２６】
この背景のもとで、ばね手段は、ばね手段の接続領域に当接し、且つ、支持体と同じ大きさの内径を有しているダストリップを有していても良い。この具体的な構成によって、容易に変形可能且つフレキシブルであり、また通常の状態では帯状に軸の外周面に接触しているダストリップを実現することができる。
【００２７】
ばね手段を壁によって少なくとも部分的に、軸方向及び／又は半径方向において包囲しても良い。これによって、ラビリンスシールが実現されている。
【００２８】
この背景のもとで、壁は、カウンタリングを収容している支持体の一部であっても良い。この具体的な構成によって、別個の壁を設ける必要はなくなり、その代わりに、支持体を軸に押し付けることができ、またそれと同時にラビリンスシールを形成することができる。
【００２９】
延長部とカウンタリングとの間に、間隙が形成されていても良い。その間隙内に乱気流を生じさせることも可能であり、それによって、埃の粒子が間隙にとどめられるが、しかしながら、粒子を含まない空気をシール面間に到達させることができる。
【００３０】
更には、間隙がオイルのための捕集溝として使用されることも考えられる。間隙又は捕捉溝において捕集されたオイルは、カウンタリングの回転によって戻すことができる。
【００３１】
延長部がスライドリングの下にも延びるように、延長部が軸方向に長く延在していても良い。この具体的な構成によって、空気を有利にはシール面間に案内することができる。
【００３２】
本明細書において説明するスライドリングシールは気体潤滑式であって良い。驚くべきことに、上記において説明した隆起部又は非平坦部が存在するにもかかわらず、気体を使用することによってスライドリングシールが機能することが分かった。当業者であれば、流体を使用するだけでもスライドリングシールは良好に動作することを想定できるであろう。
【００３３】
スライドリングのシール面及び／又はカウンタリングのシール面は、流体力学的な構造、特に鎌状の構造を有していても良い。これによって、シール面間の圧力形成が改善される。その種の構造は、欧州特許出願第１０５４１９６号に開示されている。この背景のもとで、いずれの回転方向においても効果を奏する流体力学的な構造を設けることも考えられる。
【００３４】
本明細書において説明するスライドリングシールを、内燃機関のクランクシャフトのシールとして使用しても良い。このスライドリングシールは摩擦が少ないので、クランクシャフトのシールに特に適している。
【００３５】
本明細書において説明するスライドリングシールを、滑動速度が高く且つ圧力が中程度の伝動装置シールに使用することができる。特に、スライドリングシールを自動車工業において使用することも考えられる。具体的には、スライドリングシールをターボチャージャーシール、クランクシャフトシール、伝動装置シール又は電気モータのシールとして使用することも考えられる。
【００３６】
本明細書において説明するスライドリングシールを気体潤滑式のスライドリングシールとして構成することも可能である。更には、シール面に流体力学的な効果を奏する構造を設けることも可能である。
【図面の簡単な説明】
【００３７】
【図１】０．１μｍから５００μｍまでの非平坦部を補償できるようにフレキシブルであるカウンタリング及びスライドリングを備えている、スライドリングシールの上側の部分の断面図を示す。
【図２】プレス嵌めによって軸に載置されている支持体を有しているスライドリングシールを示す。
【図３】延長部の約２／３が軸の外周面に載置されており、且つ、延長部の約１／３が円錐形の経過を有する環状間隙を形成しながら外周面から浮き上がっている支持体の部分断面図を示す。
【図４】圧力を掛けることができる円環面が表されている、スライドリングシールを示す。
【図５】半径方向リップがシール面に対して平行に延在しているスライドリングシールを示す。
【図６】比較的長い半径方向リップがシール面に対して平行に延在している別のスライドリングシールを示す。
【図７】半径方向リップと軸の回転軸とが９０°とは異なる角度を成すように半径方向リップが角度付けられているスライドリングシールを示す。
【図８】同様に傾斜しており、且つ、軸の外周面に帯状に接触している半径方向リップを備えているスライドリングシールを示す。
【図９】ばね手段に薄い不織布が配置されているスライドリングシールを示す。
【図１０】ばね手段に薄い不織布が取り付けられており、またその不織布が軸の外周面に帯状に接触している別のスライドリングシールを示す。
【図１１】薄い不織布がスライドリングから大きく間隔を空けて設けられているスライドリングシールを示す。
【図１２】薄い不織布がスライドリングから比較的大きく間隔を空けて設けられているが、しかしながら軸の外周面に接触している別のスライドリングシールを示す。
【図１３】ラビリンスシールが設けられているスライドリングシールを示す。
【図１４】ラビリンスシールが設けられており、且つ、ラビリンスシールの壁が支持体と同一の材料でもって支持体とワンピースに形成されている、別のスライドリングシールを示す。
【図１５】カウンタリングと支持体との間に間隙が設けられている別のスライドリングシールを示す。
【図１６】間隙がオイルのための捕集溝として機能する、図１５に示したスライドリングシールの下側の部分を示す。
【図１７】支持体の延長部がカウンタリング及びスライドリングの下にも延びているスライドリングシールを示す。
【図１８】支持体の延長部が金属によりシールされて軸の外周面に載置されているスライドリングシールを示す。
【図１９】上部の図はシール面の平面図を示し、下部の図はシール面を包囲する標準的な非平坦部の経過を示す。
【発明を実施するための形態】
【００３８】
図１には、スライドリングシールが示されており、このスライドリングシールは、軸方向に可動に支承されているスライドリング１と、カウンタリング３とを備えており、スライドリング１及びカウンタリング３はそれぞれ相互に接しているシール面１ａ，３ａを有している。スライドリング１のシール面１ａは、カウンタリング３のシール面３ａに対向しており、また、スライドリング１は、蛇腹状のばね手段４によってカウンタリング３に押し付けられている。
【００３９】
少なくとも一つのシール面１ａ，３ａは、０．１μｍからＷｍｍまでの大きさの隆起部又は非平坦部を有している。但し、Ｗは式
Ｗ＝０．０３Ｄｍ／ｓ
に従い求められる。平均直径Ｄｍは、円環状のシール面１ａ，３ａの外径Ｄａと内径Ｄｉの平均値であり、またｓは、スライドリング１又はカウンタリング３の厚さを表している。
【００４０】
Ｄｍ及びｓの値は、同じ単位に、例えばｍの単位に設定されるべきである。
【００４１】
少なくとも一つのシール面１ａ，３ａは、０．１μｍから５００μｍまでの大きさの隆起部又は非平坦部を有している。カウンタリング３は、支持体５に収容されており、この支持体５は、軸７に押し付けるための軸方向の延長部６を有している。
【００４２】
隆起部又は非平坦部は、波状凹部及び波状凸部として形成されている。
【００４３】
少なくとも一つのシール面１ａ，３ａにおける隆起部又は非平坦部は、蛇腹状のばね手段４によって、スライドリングシールの動作時に機能が損なわれることがないように、少なくとも部分的に変形可能である。
【００４４】
蛇腹状のばね手段４は、リング状の当接領域８を用いて、スライドリング１に接触しており、且つ、リング状の接続領域９を用いて、ケーシング１０に取り付けられている。当接領域８及び接続領域９は、少なくとも一つの弾性的に変形可能なヒンジ領域１１によって相互に接続されている。ヒンジ領域１１の横断面はＳ字状に形成されている。
【００４５】
図２には、支持体５の軸方向の延長部６を用いて、支持体５を軸７に押し付けることができることが示されている。
【００４６】
図３には、延長部６の内部空間が軸７を収容するために円錐形に延在するように、延長部６の領域６ａの横断面が円錐台状に形成されていることが示されている。これによって、カウンタリング３は、延長部６のプレス嵌めによって支持体５にもたらされる力から分離される。
【００４７】
図４には、スライドリング１に第１の円環面１２が形成されていることが示されており、この第１の円環面１２には、カウンタリング３の方向に向けられている第１の力Ｆ１を軸方向において作用させることができる。
【００４８】
更に、突出した第２の円環面１３が設けられている。突出した第２の円環面１３は、半径方向において、スライドリング１におけるばね手段４の当接領域８と、ケーシング１０におけるばね手段４の接続領域９との間に延在している。
【００４９】
圧力が掛けられることによって、スライドリング１の方向に軸方向において、突出した第２の円環面１３に作用する第２の力Ｆ２は、カウンタリング３の方向に軸方向において第１の円環面１２に作用する第１の力Ｆ１の１％から１００，０００％の間である。
【００５０】
有利には、第１の力Ｆ１は第２の力Ｆ２よりも大きい。スライドリング１に作用する圧を、ばね手段４を介して補償することができる。
【００５１】
従って、ばね手段４に対向しているスライドリング１における第１の円環面１２と、スライドリング１におけるばね手段４の当接領域８とケーシング１０におけるばね手段４の接続領域９との間に延在する、突出した第２の円環面１３との比は、空間２０における圧力変化によって、スライドリング１の方向に軸方向において、突出した第２の円環面１３に作用する第２の力Ｆ２が、空間２０における圧力変化によって、カウンタリング３の方向に軸方向において第１の円環面１２に作用する第１の力Ｆ１の１％から１００，０００％の間となるように選定されている。
【００５２】
図５には、ばね手段４ａが、スライドリング１に接触し、且つ、支持体５’よりも大きい内径を有している半径方向リップ１４ａを備えているスライドリングシールが示されている。
【００５３】
図６には、ばね手段４ｂが、スライドリング１に接触し、且つ、支持体５’と同じ大きさの内径を有している半径方向リップ１４ｂを備えていることが示されている。
【００５４】
図７には、ばね手段４ｃが、スライドリング１から離れる方向に角度を成して突出し、且つ、支持体５’よりも大きい内径を有している半径方向リップ１４ｃを備えていることが示されている。
【００５５】
図８には、ばね手段４ｄが、スライドリング１から離れる方向に角度を成して突出し、且つ、支持体５’と同じ大きさの内径を有している半径方向リップ１４ｄを備えていることが示されている。
【００５６】
図９には、ばね手段４が、ばね手段４の当接領域８に接触し、且つ、支持体５’よりも大きい内径を有しているダストリップ１５ａを備えていることが示されている。
【００５７】
図１０には、ばね手段４が、ばね手段４の当接領域８に接触し、且つ、支持体５’と同じ大きさの内径を有しているダストリップ１５ｂを備えていることが示されている。
【００５８】
図１１には、ばね手段４が、ばね手段４の接続領域９に当接し、且つ、支持体５’よりも大きい内径を有しているダストリップ１５ｃを備えていることが示されている。
【００５９】
図１２には、ばね手段４が、ばね手段４の接続領域９に当接し、且つ、支持体５’と同じ大きさの内径を有しているダストリップ１５ｄを備えていることが示されている。
【００６０】
図１３には、ばね手段４が、壁１６によって少なくとも部分的に、軸方向及び／又は半径方向において包囲されていることが示されている。これによって、ばね手段４のエンクロージャが生じる。ラビリンスシールが形成される。
【００６１】
図１４には、壁１６ａが、カウンタリング３を収容している支持体５”の一部であることが示されている。
【００６２】
図１５には、延長部６”’とカウンタリング３との間に、間隙１７が設けられていることが示されている。
【００６３】
図１６には、図１５に示したスライドリングシールの下側の部分が示されている。間隙１７は、戻すことができるオイルのための捕集溝として機能する。
【００６４】
図１７には、延長部６がスライドリング１の下にも延びるように、延長部６が軸方向に長く延在していることが示されている。
【００６５】
カウンタリング３は、回転力が僅かなテーパ又は変形を誘導するように形成及び／又は配置されている。このことは、図１から図１８において説明した全てのスライドリングシールに該当する。
【００６６】
図１８には、ケーシングの領域１０ａが金属によりシールされているか、完全にゴム被覆されているか、部分的にゴム被覆されているか、又は、シール材、特にシールラッカを介在させることによって、対向壁１８に接触しているスライドリングシールが示されている。
【００６７】
図１から図１８に示したスライドリングシールにおいては、遠心力がカウンタリング３の変形に影響を及ぼさないように、カウンタリング３を対称的に形成することができる。
【００６８】
延長部６が、軸７に対して静的にシールされていても良い。そのような静的なシールは、完全にゴム被覆されたものか、部分的にゴム被覆されたものか、若しくは、シールラッカ又は金属によってシールされたもので良い。
【００６９】
図１から図１８に示したスライドリングシールにおいては、カウンタリング３に信号トラック１９が対応付けられている。これによって、スライドリングシールを同時にエンコーダとして機能させることができる。信号トラック１９は、磁化可能な粒子又は磁化された粒子が含有されているエラストマーから形成することができる。
【００７０】
図１９には、スライドリング１がそのシール面１ａに沿って回転する場合の、スライドリング１の起伏が示されている。角度φは、０°から３６０°の間の値を取る。
【００７１】
図１９には、シール面１ａに沿って一回転する間に二つの最上点及び二つの最下点を通過することが示されている。従って、シール面１ａにおける隆起部又は非平坦部は、具体的なケースでは、二つの最上点及び二つの最下点、即ち二つの波状凸部及び二つの波状凹部を有している。
【００７２】
シール面１ａ，３ａにおける隆起部又は非平坦部、即ち波状凹部及び波状凸部は、スライドリングシールの動作時に機能が損なわれることがないように、蛇腹状のばね手段４によって少なくとも部分的に変形可能である。
【図１】
2016516958.tif 000003
【図２】
2016516958.tif 000004
【図３】
2016516958.tif 000005
【図４】
2016516958.tif 000006
【図５】
2016516958.tif 000007
【図６】
2016516958.tif 000008
【図７】
2016516958.tif 000009
【図８】
2016516958.tif 000010
【図９】
2016516958.tif 000011
【図１０】
2016516958.tif 000012
【図１１】
2016516958.tif 000013
【図１２】
2016516958.tif 000014
【図１３】
2016516958.tif 000015
【図１４】
2016516958.tif 000016
【図１５】
2016516958.tif 000017
【図１６】
2016516958.tif 000018
【図１７】
2016516958.tif 000019
【図１８】
2016516958.tif 000020
【図１９】
2016516958.tif 000021
【国際調査報告】
2016516958.tif 000022
2016516958.tif 000023
2016516958.tif 000024
2016516958.tif 000025